(57)【特許請求の範囲】
【請求項１】
水に対する浮力を有し、かつ、釣針が接続されるルアー本体部を備えたルアーであって、
単線状の弾性線状部材を備え、
前記ルアー本体部は、
その下方に設けられ、前記釣針が接続される釣針接続部と、
前記弾性線状部材の基端部が着脱自在に接続される線状部材接続部と、
を備え、
前記弾性線状部材は、前記ルアー本体部の下方に向かって、かつ、当該ルアー本体部の長手方向後方側に沿って延出する状態で設けられ、
前記ルアー本体部の前記長手方向において、前記線状部材接続部と前記釣針接続部との間に、前記弾性線状部材を貫通させる状態で当該弾性線状部材の中間部を支持する線状部材支持部が設けられ、
前記ルアー本体部が水中において前記釣針よりも上方に位置し、前記弾性線状部材の下端部が水底に接触する接触起立状態において、前記弾性線状部材が、鉛直下方よりも前記ルアー本体部の後方側に延出するように構成され、かつ、前記接触起立状態において、前記弾性線状部材が、その下端部が前記釣針接続部に接続された前記釣針の下端部よりも下方に延出する長さであり、前記ルアー本体を弾性支持する弾性を有しているルアー。
【請求項２】
水に対する浮力を有し、かつ、釣針が接続されるルアー本体部を備えたルアーであって、
単線状の弾性線状部材を備え、
前記ルアー本体部は、
その下方に設けられ、前記釣針が接続される釣針接続部と、
前記弾性線状部材の基端部が接続される線状部材接続部と、
を備え、
前記弾性線状部材は、前記ルアー本体部の下方に向かって、かつ、当該ルアー本体部の長手方向後方側に沿って延出する状態で設けられ、
前記ルアー本体部の前記長手方向において、前記線状部材接続部と前記釣針接続部との間に、前記弾性線状部材を貫通させる状態で当該弾性線状部材の中間部を支持する線状部材支持部が設けられ、
前記ルアー本体部が水中において前記釣針よりも上方に位置し、前記弾性線状部材の下端部が水底に接触する接触起立状態において、前記弾性線状部材が、鉛直下方よりも前記ルアー本体部の後方側に延出するように構成され、かつ、前記接触起立状態において、前記弾性線状部材が、その下端部が前記釣針接続部に接続された前記釣針の下端部よりも下方に延出する長さであり、前記ルアー本体を弾性支持する弾性を有しているルアー。
【請求項３】
前記線状部材接続部に前記弾性線状部材が着脱自在に接続されている請求項２に記載のルアー。
【請求項４】
前記ルアー本体部に、前記釣針接続部よりも前方側に設けられ、釣糸が接続される釣糸接続部が備えられ、
前記ルアー本体部の前記長手方向において前記釣糸接続部から前記釣針接続部までの間に、前記線状部材接続部が設けられている請求項１から３のいずれか１項に記載のルアー。
【請求項５】
前記釣糸接続部と前記線状部材接続部とが前記ルアー本体部の前端部に設けられた単一の環状部材で構成されている請求項４に記載のルアー。
【請求項６】
前記ルアー本体部の前記長手方向において、前記線状部材接続部と前記釣針接続部との間に、前記ルアー本体部から延出する板状のリップが設けられ、
前記リップに前記線状部材支持部としての貫通孔が設けられている請求項１から５のいずれか１項に記載のルアー。
【請求項７】
前記ルアー本体部は、本体前部と当該本体前部に揺動可能に連結された本体後部とから構成され、前記本体前部に前記弾性線状部材が設けられている請求項１から６のいずれか１項に記載のルアー。
【発明の詳細な説明】
【技術分野】
【０００１】
本発明は、釣針が接続されるルアー本体部を備えたルアーに関する。
【背景技術】
【０００２】
かかるルアーは、小魚を餌とする肉食魚を釣るためのルアーフィッシングで使用するものである。淡水魚であるブラックバスなどの種々の肉食魚を釣るためにルアーが使用され、海釣りにおいても種々の肉食魚を釣るために使用されている。近年のスポーツフィッシングでは、釣りの捕獲対象魚の種類等に応じて種々のルアーが使用されている。
【０００３】
このようなルアーを使用すると、ルアーが水中の障害物等に引っ掛かって取れなくなってしまう根掛かりが発生することがある。このような根掛かりが発生すると、釣人は多くの場合において根掛かりしたルアーを回収できず、ルアーを水中に残して釣糸を切断することになる。
【０００４】
例えば、捕獲対象魚の中にはブラックバス等の石や水草などの障害物が多い水底に生息することを好むものもあるので、このような魚を捕獲するため水底に石や水草などの障害物が多い場所で釣りをする場合には根掛かりが発生する可能性が高くなるが、ブラックバス等を捕獲対象とするルアーは高価であるため、ルアーを失うことを避けたいという要望がある。また、ルアーは生分解されない合成樹脂等の材料で形成されていることが多いので、根掛かりしたルアーが水中に残されることになると、環境に悪影響を与える虞があることからも、ルアーの根掛かりを回避することが望まれている。
【０００５】
根掛かりを防止するルアーとして、ルアー本体部に接続された釣針が水底の障害物に刺さる又は引っ掛かることにより発生する根掛かりを防止するように構成されたものがある（例えば、特許文献１参照）。この特許文献１のルアーには、ルアー前方側から見て逆Ｖ字型に形成されたガード部材が、ルアー本体部の釣針よりも前方の下部において、ルアー本体部から下方に延出する状態で設けられている。つまり、ガード部材が、ルアーの横方向に二股に分かれて広がる分岐先端側をルアー本体部から下方に延出する状態で設けられている。このようにして、水中の障害物が釣針よりも先にガード部材に当接するように構成し、釣針が水中の障害物に引っ掛かり難くして、ルアーの根掛かりが発生することを防止している。
【先行技術文献】
【特許文献】
【０００６】
【特許文献１】実登３１９８０８９号公報
【発明の概要】
【発明が解決しようとする課題】
【０００７】
しかしながら、特許文献１のルアーでは、ルアー本体部から下方に延出するガード部材の分岐先端側がルアーの横方向に二股に分かれて広がる状態で設けられているので、捕獲対象魚であるブラックバス等が生息することを好む石や水草などの障害物が多い水底付近において、ルアーを前方に移動させて使用する場合等に、ガード部材の分岐先端側が水底に存在する水草などの障害物に絡まりやすくなることに加えて、ルアーの横方向に広がる逆Ｖ字型のガード部材が、石の間や漁礁に挟まりやすく、水底付近においてルアーの根掛かりが発生しやすいという虞がある。
【０００８】
また、ルアーを水底に接触させた状態で使用する場合には、ガード部材の二股に分かれた先端側が水底に接触するので、前方に移動させる状態で使用する場合は、前方側に傾斜させて下方に延出しつつ、二股に分かれたガード部材の先端側が水底に引っ掛かりながら前方に移動するので、ルアーの動作が不自然になる。また、ルアーを移動させずに定位置で使用する場合は、二股に分かれたガード部材の先端側が水底に接地するので、ルアーが水流の変化に応じて泳動することが困難となり、ルアーの動作が釣りの対象魚を引き寄せるような良好な泳動状態にならないという問題があった。
【０００９】
本発明は、上記実情に鑑みてなされたものであって、その目的は、水底付近において根掛かりの発生を防止することができつつ、水底に接触する場合でも良好な泳動状態を実現することができるルアーを提供することにある。
【課題を解決するための手段】
【００１０】
上記目的を達成するための本発明に係るルアーは、
水に対する浮力を有し、かつ、釣針が接続されるルアー本体部を備えたルアーであって、
単線状の弾性線状部材を備え、
前記ルアー本体部は、
その下方に設けられ、前記釣針が接続される釣針接続部と、
前記弾性線状部材の基端部が着脱自在に接続される線状部材接続部と、
を備え、
前記弾性線状部材は、前記ルアー本体部の下方に向かって、かつ、当該ルアー本体部の長手方向後方側に沿って延出する状態で設けられ、
前記ルアー本体部の前記長手方向において、前記線状部材接続部と前記釣針接続部との間に、前記弾性線状部材を貫通させる状態で当該弾性線状部材の中間部を支持する線状部材支持部が設けられ、
前記ルアー本体部が水中において前記釣針よりも上方に位置し、前記弾性線状部材の下端部が水底に接触する接触起立状態において、前記弾性線状部材が、鉛直下方よりも前記ルアー本体部の後方側に延出するように構成され、かつ、前記接触起立状態において、前記弾性線状部材が、その下端部が前記釣針接続部に接続された前記釣針の下端部よりも下方に延出する長さであり、前記ルアー本体を弾性支持する弾性を有している点にある。
【００１１】
上記特徴構成によれば、ルアー本体部に、ルアー本体部の下方に向かって、かつ、ルアー本体部の長手方向に沿って延出する弾性線状部材が設けられているので、ルアーを水底付近で使用する場合には弾性線状部材のみが水底に接触する状態となる。よって、この状態でルアーを水底付近で低速で移動させて使用する場合には、ルアー本体部が水底付近に多く存在する障害物としての石や水草に接触せずに、弾性線状部材のみが障害物に接触して、弾性線状部材が湾曲する状態で障害物を乗り越えることができ、また、障害物に引っ掛かることを回避することができるので、ルアーの根掛かりを防止することができる。また、上述の如く、弾性線状部材はルアー本体部の長手方向に沿って延出するものであり、ルアー本体部の横幅方向に延びるものではないので、弾性線状部材のみが水底の障害物の隙間を通過する状態として、ルアー本体部を障害物の上方を通過させることができるので、ルアーが障害物の間に挟まることなく通過することができる。よって、水底付近において根掛かりの発生を防止することができる。
【００１２】
また、ルアー本体に設けられた弾性線状部材が水底に接触する状態において、水中の水流に応じて、ルアーが弾性線状部材の弾性により揺動可能な範囲において自由に泳動することができる。よって、ルアーが水底に接触する場合でも、ルアーが釣りの捕獲対象魚を引き寄せるような良好な泳動状態を実現することができる。
【００１４】
上記特徴構成によれば、弾性線状部材は単線状に形成されているので、ルアー本体部が受ける水の抵抗により、ルアーの初期揺動が開始され、弾性線状部材の水底の接地点を中心とした回転モーメントがかかると、弾性線状部材が弾性変形を起こし、ルアー本体部の揺動をより大きく自然にすることができるので、捕獲対象魚に対して高い集魚効果を発揮することができる。
【００１５】
例えば、弾性線状部材が設けられていない従来のルアーでは、釣糸で引くことにより発生する水の抵抗によって揺動するため、釣糸で引かれて移動しながらでしか揺動を続けられなかったが、上記特徴構成によれば、弾性線状部材が設けられているので、水中において、水底から離間した深さ方向において定位置を維持したまま、生きた魚の泳動状態に似た良好な泳動状態を実現することができる。また、弾性線状部材が設けられているので、釣糸を引くことによってルアーを移動させなくても、弾性線状部材の水底の接地点を中心として、水流を利用してルアーを揺動させることができる。つまり、水中において水平方向の位置を定位置に維持した状態、かつ、水底から離間した深さ方向において定位置を維持した状態で、弾性線状部材の水底の接地点を中心として、水流を利用してルアーを揺動させることができる。
【００１６】
実際に水中において小魚が定位する動作は、縄張りや産卵床を他の魚等から守ろうとする小魚の動作であり、この小魚の状態は釣りの捕獲対象魚においては餌として小魚を捕食するために狙いやすい状態である。上記特徴構成によれば、弾性線状部材が設けられているので、ルアーをそのような小魚の動作に似た泳動状態とすることができる。よって、捕獲対象魚に対して高い集魚効果が発揮される。
【００１７】
また、上記特徴構成によれば、弾性線状部材は釣糸接続部に接続された釣針の下端部よりも下方に延出するように設けられているので、弾性線状部材の下端部が水底に接触して、ルアー本体部を水底から離間する状態で泳動させることができるので、釣針が水底に接触することに起因するルアーの泳動状態の阻害を防止して、ルアーの良好な泳動状態を実現することができる。
【００１８】
また、捕獲対象魚が餌とする小魚のうち、ルアーによって水底を這うゴリ、ヨシノボリ、エビといった捕食対象を表現する場合は、ルアー本体部が水底に沈んでも構わないが、水底から離れて泳ぐモロコ、オイカワ、アユなどの捕食対象を表現する場合は、ルアー本体部を水底から離間する状態で泳動させることが必要となるが、上記特徴構成によれば、弾性線状部材によりルアー本体部を水底から離間する状態で泳動させることができるので、水底から離れて泳ぐモロコ、オイカワ、アユなどの捕食対象を表現することができる。
【００１９】
また、魚は視覚ではなく、側線からの音で対象物との距離感など把握すると考えられており、捕獲対象魚においても、こうした音で餌としての小魚を探している。よって、従来から、疑似餌であるルアー本体部内に、本体部内を移動して本体部内で互いに衝突して衝突音を発生する金属球等を入れたラトルタイプに構成することの他、ルアー本体部を水底や水底の障害物にルアーを接触させて衝突音を発することにより集魚効果が得られている。
【００２０】
このような衝突音は、好奇心が強い魚に対しては有効であるが、警戒心が強い魚に対しては逆効果となってしまうことがある。一方、より自然の小動物が発生させる音に類似する小さな水中音を発生する場合、例えば、エビや小魚が行動の際、石に擦る際のような極小さな水中音を発生する場合には好奇心が強い魚に加えて警戒心が強い魚に対しても集魚効果がある。
【００２１】
上記実施形態では、弾性線状部材の先端部のみが水底に接するので、弾性線状部材の先端部が水底や水底の障害物に接触する際に発生する音は、ラトルタイプのルアーで発生する音や、ルアー本体部を水底や障害物に衝突させることにより発生する音よりも小さくすることができ、より自然の小動物が発生させる音に類似する小さな水中音を発生することができる。これにより高い集魚効果を得ることができる。このようなルアーでは、釣針接続部と釣針接続部に接続される釣針が接続部において衝突することで音が発生することがあるが、ルアーを釣糸によりゆっくり引く状態で使用するときには、そのような接続部からの音の発生が少なくなり、水底と水底に接する弾性線状部材の先端部の接触音のみが発生する状態となるので、上述の如く、より自然の小動物が発生させる音に類似する小さな水中音を発生することができる。
【００２３】
上記実施形態によれば、接触起立状態で、前記弾性線状部材の下端部が前記釣針接続部に接続された前記釣針の下端部よりも下方に延出するように構成されているので、ルアーの起立姿勢に影響を受けることなく、ルアーを水底付近で使用する場合には弾性線状部材のみが水底に接触する状態となる。よって、この状態でルアーを水底付近で低速で移動させて使用する場合に、上述の如く、水底付近において根掛かりの発生を防止することができる。
【００２４】
つまり、ルアー本体部が個々に有する構造の違いやその他のルアーを構成する部材の構造違いにより起立姿勢におけるルアー本体部の長手方向の方向が水平方向から傾いた方向となる場合があるが、そのようなルアーに固有の起立姿勢に影響を受けることなく、ルアーを水底付近で使用する場合には弾性線状部材のみが水底に接触する状態とすることができるので、上述の如く、水底付近において根掛かりの発生を防止することができる。
【００２５】
上記特徴構成によれば、線状部材接続部に弾性線状部材が着脱自在に接続されているので、弾性線状部材が破損した場合に、弾性線状部材を容易に取り換えることができる。また、ルアーの揺動の大きさや水底からの離間距離を調整するために、硬さや長さが異なる弾性線状部材に取り替える場合があるが、そのような場合にも弾性線状部材を容易に取り替えることができる。このように弾性線状部材を容易に取り替えることができるので、特に、冬期のルアーフィッシングにおいて、弾性線状部材が破損した場合に、ルアーを使用する釣人は寒さにより手が悴む中でも弾性線状部材を容易に取り替えることが可能となる。
上記特徴構成によれば、弾性線状部材を線状部材接続部と線状部材支持部との２点で支持することができるので、弾性線状部材を安定した状態でルアー本体部に接続することができる。また、例えば、弾性線状部材を線状部材接続部に完全に固定せずとも、弾性線状部材を線状部材接続部及び線状部材支持部に揺動可能な状態に接続することで、弾性線状部材の延出方向を固定する状態でルアー本体部に接続することができるので、容易に弾性線状部材を、ルアー本体部の下方に向かって、かつ、ルアー本体部の長手方向に沿って延出する状態として固定することができる。
また、上記特徴構成において、線状部材支持部を貫通孔等により構成する場合、線状部材支持部の孔径を弾性線状部材の外径よりも大きくなるように構成することによって、ルアーの動作時に、弾性線状部材が線状部材支持部に支持された状態で弾性線状部材と線状部材支持部とが接触して小さな接触音を発生するので、上述の如く、接触音に好奇心を示す集魚効果を得ることができる。
また、上記特徴構成において、線状部材支持部を線状部材支持部に着脱自在に構成した場合には、線状部材支持部に支持される弾性線状部材の取替作業が容易になるので、例えば、弾性線状部材が破損したときに新しい弾性線状部材に取り替える場合や、弾性線状部材の硬さや長さなどを変更するために弾性線状部材を取り替える場合等において、その取替作業を迅速かつ容易に行うことができる。
【００２６】
上記目的を達成するための本発明に係るルアーは、
水に対する浮力を有し、かつ、釣針が接続されるルアー本体部を備えたルアーであって、
単線状の弾性線状部材を備え、
前記ルアー本体部は、
その下方に設けられ、前記釣針が接続される釣針接続部と、
前記弾性線状部材の基端部が接続される線状部材接続部と、
を備え、
前記弾性線状部材は、前記ルアー本体部の下方に向かって、かつ、当該ルアー本体部の長手方向後方側に沿って延出する状態で設けられ、
前記ルアー本体部の前記長手方向において、前記線状部材接続部と前記釣針接続部との間に、前記弾性線状部材を貫通させる状態で当該弾性線状部材の中間部を支持する線状部材支持部が設けられ、
前記ルアー本体部が水中において前記釣針よりも上方に位置し、前記弾性線状部材の下端部が水底に接触する接触起立状態において、前記弾性線状部材が、鉛直下方よりも前記ルアー本体部の後方側に延出するように構成され、かつ、前記接触起立状態において、前記弾性線状部材が、その下端部が前記釣針接続部に接続された前記釣針の下端部よりも下方に延出する長さであり、前記ルアー本体を弾性支持する弾性を有している点にある。
また、本発明に係るルアーの更なる特徴構成は、
前記線状部材接続部に前記弾性線状部材が着脱自在に接続されている点にある。
【００２７】
本発明に係るルアーの更なる特徴構成は、
前記ルアー本体部に、前記釣針接続部よりも前方側に設けられ、釣糸が接続される釣糸接続部が備えられ、
前記ルアー本体部の前記長手方向において前記釣糸接続部から前記釣針接続部までの間に、前記線状部材接続部が設けられている点にある。
【００２８】
上記特徴構成によれば、ルアー本体部の長手方向において釣糸接続部が釣針接続部よりも前方側に設けられ、釣糸接続部から釣針接続部までの間に、弾性線状部材が接続される線状部材接続部が設けられているので、釣糸によりルアー本体部を引っ張って前方に移動させる場合に、釣糸が接続される釣糸接続部が弾性線状部材よりも前方に設けられることになるので、弾性線状部材と釣糸とが接触することを防止することができる。よって、ルアーの良好な泳動状態を実現することができる。
【００２９】
本発明に係るルアーの更なる特徴構成は、
前記釣糸接続部と前記線状部材接続部とが前記ルアー本体部の前端部に設けられた単一の環状部材で構成されている点にある。
【００３０】
上記特徴構成によれば、釣糸接続部と線状部材接続部とを単一の環状部材とすることで、釣糸接続部と線状部材接続部とを共通の部材で構成して構造を簡略化することができる。また環状部材とすることで、釣糸の釣糸接続部への取り付け及び取り外し、並びに、弾性線状部材の線状部材接続部への取り付け及び取り外しが容易になる。よって、釣糸に接続するルアーの交換作業及びルアーに接続する弾性線状部材の取替作業が容易になるので、例えば、弾性線状部材の硬さや長さなどを変更するために弾性線状部材を取り替える場合や、弾性線状部材が破損したときに新しい弾性線状部材に取り替える場合等において、その取替作業を迅速かつ容易に行うことができる。
【００３１】
また、上記特徴構成において、環状部材の孔径を弾性線状部材の外径よりも大きくなるように構成することによって、ルアーの動作時に、弾性線状部材が環状部材に接続された状態で弾性線状部材と環状部材とが接触して小さな接触音を発生するので、上述の如く、接触音に好奇心を示す集魚効果を得ることができる。
【００３６】
本発明に係るルアーの更なる特徴構成は、
前記ルアー本体部の前記長手方向において、前記線状部材接続部と前記釣針接続部との間に、前記ルアー本体部から延出する板状のリップが設けられ、
前記リップに前記線状部材支持部としての貫通孔が設けられている点にある。
【００３７】
上記特徴構成によれば、ルアー本体部から延出する板状部材で構成されたリップを利用して線状部材支持部を形成することができるので、ルアー本体部の構成を簡素化することができる。
【００３８】
また、上記特徴構成によれば、リップ及びルアー本体部が受ける水の抵抗により、ルアーの初期揺動が開始され、弾性線状部材の水底の接地点を中心とした回転モーメントがかかると、弾性線状部材が弾性変形を起こし、ルアー本体部の揺動をより大きく自然にすることにより、高い集魚効果が発揮される。
【００３９】
本発明に係るルアーの更なる特徴構成は、
前記ルアー本体部は、本体前部と当該本体前部に揺動可能に連結された本体後部とから構成され、前記本体前部に前記弾性線状部材が設けられている点にある。
【００４０】
上記特徴構成によれば、本体前部と本体後部とから構成され、本体前部に弾性線状部材が設けられているので、弾性線状部材により本体前部の良好な泳動状態を維持することができる。そして、本体前部の良好な遊泳動作に連動して本体後部が遊泳するので、より大きくルアー本体部が蛇行して良好な遊泳状態を実現することができる。
【図面の簡単な説明】
【００４１】
【図１】実施形態に係るルアーの概略側面図
【図２】水中におけるルアーの動作を示す正面図
【図３】水中におけるルアーの動作を示す側面図
【図４】別実施形態に係るルアーの概略側面図
【発明を実施するための形態】
【００４２】
以下、図面を参照して、この発明の実施形態について具体的に説明する。
図１に、本発明の一実施形態に係るルアー１００の概略図を示す。実施形態に係るルアー１００は、外形を魚の形状に似せて形成されており、魚形状の頭部と腹部を含むルアー本体部１と魚形状の尾部であるテール部２により形成されている。
【００４３】
ルアー本体部１は、合成樹脂や木材等の材質で形成することができ、例えば、ＡＢＳ樹脂やポリカーボネイトなどの硬質合成樹脂により形成されている。なお、ルアー本体部１は、ルアー本体部１が水中にある場合に、浮力によりルアー本体部１の下方が水底側に向くように形成されている。また、テール部２は、合成樹脂や木材に加えてゴム状弾性を示す材質等で形成することができ、例えば、シリコンや軟質樹脂エラストマー（ＴＰＥ）により形成されている。
【００４４】
ルアー本体部１は、魚形状の頭部と腹部前方部とを含むルアー本体前部１ａと、魚形状の腹部後方部を含むルアー本体後部１ｂとにより形成されており、ルアー本体後部１ｂが、ルアー本体前部１ａに揺動可能に連結されている。ルアー本体前部１ａの下部には、釣針１０が接続される釣針接続部としての本体前部側フックアイ６とが設けられている。また、ルアー本体後部１ｂの下部にも釣針１０が接続されている。そして、詳細は後述するが、ルアー本体部１に、ルアー本体部１の下方に向かって、かつ、ルアー本体部１の長手方向Ｄに沿って延出する弾性線状部材としてのワイヤ３が設けられている。
【００４５】
また、ルアー本体部１は水に対して浮力を有する。そして、ルアー本体部１に接続される水よりも比重が大きな釣針１０、ワイヤ３及び図示しない錘等によって、ルアー１００全体としての比重を水の比重よりも少し大きくなるように調整されている。これにより、ルアー１００を水中に投入すると、ルアー本体部１が釣針１０よりも上方に位置するルアー１００の起立姿勢で、ルアー本体部１に接続されたワイヤ３のワイヤ下端部３ａが水底に接触することにより、ワイヤ３の支持によってルアー１００が水底から所定の距離だけ離間した水中の位置に維持される接触起立状態となる。つまり、ルアー１００が、ワイヤ３のワイヤ下端部３ａが水底に接触する状態で水底から所定の距離だけ離間した深さ位置に維持された状態となる。
【００４６】
ルアー本体前部１ａについて詳細に説明する。ルアー本体前部１ａには、ルアー本体部１の前端部である魚形状の頭部の顎下に釣糸２０が接続される釣糸接続部としてのラインアイ４と、ラインアイ４よりも後方側において釣針接続部としての本体前部側フックアイ６とが備えられている。そして、ルアー本体部１の長手方向Ｄにおいてラインアイ４から本体前部側フックアイ６までの間に、弾性線状部材としてのワイヤ３の基端部が接続される線状部材接続部７が設けられている。本実施形態では、ラインアイ４と線状部材接続部７とがルアー本体部１の前端部に設けられた単一の環状部材５で構成されている。つまり、本実施形態では、単一の環状部材５がラインアイ４及び線状部材接続部７として機能している。
【００４７】
ルアー本体前部１ａには、ルアー本体部１の長手方向Ｄにおいて、線状部材接続部７と本体前部側フックアイ６との間にリップ８が設けられている。リップ８は、ルアー本体部１の頭部の下面から斜め下方に向けて延出する板状部材で構成されている。具体的には、このリップ８はルアー本体部１を形成する合成樹脂等で一体的に形成されており、前方側から見て略円形に形成された板状部材で構成されている。
【００４８】
このリップ８には、ワイヤ３の中間部を支持する線状部材支持部としてのワイヤ支持部９が設けられている。具体的には、ワイヤ支持部９は、リップ８のルアー本体部１の前方側において、ワイヤ３が貫通する貫通孔として設けられている。このような状態で、ワイヤ支持部９は、ルアー本体部１の長手方向Ｄにおいて、線状部材接続部７と本体前部側フックアイ６との間に設けられている。
【００４９】
また、ルアー本体前部１ａの後端部には、ルアー本体後部１ｂと揺動可能に連結するための連結用リング１１がルアー本体前部１ａの上下方向に並ぶ状態で２つ設けられている。
【００５０】
ルアー本体後部１ｂについて説明する。ルアー本体後部１ｂの前方側には、ルアー本体前部１ａと揺動可能に接続するためのルアー本体前部１ａに設けられた連結用リング１１と連結する連結部１２がルアー本体後部１ｂの上下方向に並ぶ状態で２つ設けられている。連結部１２には、夫々の連結用リング１１を挿入可能に形成された凹部１３と、ルアー本体後部１ｂの下部から２つの凹部１３を貫通する状態で、凹部１３に挿入された連結用リング１１のリング内に挿通させて、ルアー本体前部１ａとルアー本体後部１ｂとを連結する挿通部材１４とで構成されている。
【００５１】
また、ルアー本体後部１ｂの下部には、釣針１０が接続される本体後部側フックアイ１５が備えられている。ルアー本体後部１ｂの後方側には、図示はしないがテール部２を接続するためのテール部接続部が設けられている。テール部接続部は、例えば、ルアー本体後部１ｂの上下方向に延びる後方側に開口するテール部接続用凹部で形成され、テール部２は、そのゴム状弾性を利用してルアー本体後部１ｂに設けられたテール部接続用凹部（図示せず）に着脱自在に接続される。
【００５２】
弾性線状部材としてのワイヤ３について説明する。上述の如く、ワイヤ３は、ルアー本体部１に、ルアー本体部１の下方に向かって、かつ、ルアー本体部１の長手方向Ｄの後方側に沿って延出する状態で設けられている。また、ワイヤ３は単線状に形成され、線状部材接続部７に着脱自在に接続されている。そして、上述したルアー１００の接触起立状態において、ワイヤ３が、鉛直下方よりもルアー本体部１の後方側に延出するように構成され、かつ、接触起立状態で、ワイヤ３の下端部であるワイヤ下端部３ａが釣針接続部としての本体前部側フックアイ６に接続された釣針１０の下端部よりも下方に延出するように構成されている。つまり、ワイヤ３の長さは、上述したルアー１００の接触起立状態において、本体前部側フックアイ６に接続された釣針１０の下端部よりも下方に延出するような長さになるように構成されている。よって、ワイヤ３の長さは、釣針１０の大きさに応じて設定される。
【００５３】
それに加えて、ワイヤ３の長さは、ルアー１００の接触起立状態においてルアー１００が水底から所定の距離だけ離間した深さ位置を、どのような深さ位置に設定するかにより、適宜、ルアー１００の使用者である釣人等によって設定される。例えば、ワイヤ３の長さは、深さ位置が捕獲対象魚の餌となる小魚が生息するような深さ位置となるように設定することができる。
【００５４】
具体的には、ワイヤ３の長さは、１ｃｍ以上１００ｃｍ以下とすることが好ましく、より好ましくは３ｃｍ以上３０ｃｍ以下である。ワイヤ３が長さは、基本的には上述の如く、釣針１０の大きさ及び深さ位置を考慮して設定するが、ワイヤ３が長くなりすぎるとルアー１００の重量が過剰に大きくなることに加え、ワイヤ３が弾性変形により必要以上に湾曲するため、水中でワイヤ３の先端部が水底に接地した状態で、ルアー本体部１が最適な遊泳状態とならない可能性がある。一方、ワイヤ３が短くなりすぎるとワイヤ３が弾性変形し難くなるので、水中でワイヤ３の先端部が水底に接地した状態で、ルアー本体部１が最適な遊泳状態とならない可能性がある。よって、ワイヤ３の長さを上述の長さ範囲とすることが好ましい。
【００５５】
また、ワイヤ３の直径は０．１ｍｍ以上１．５ｍｍ以下とすることが好ましく、より好ましくは０．３ｍｍ以上０．８ｍｍ以下である。ワイヤ３が太くなりすぎるとルアー１００の重量が過剰に大きくなることに加え、ワイヤ３が弾性変形し難くなるので、水中でワイヤ３の先端部が水底に接地した状態で、ルアー本体部１が最適な遊泳状態とならない可能性がある。一方、ワイヤ３が細くなりすぎると強度が不足して使用時に折れ曲がりを生じる可能性がある。よって、ワイヤ３の直径を、上述の直径範囲とすることが好ましい。
【００５６】
ルアー本体部１に設けられたワイヤ３の角度について述べる。本実施形態では、上述の如く、ルアー１００の接触起立状態において、ワイヤ３が、鉛直下方よりもルアー本体部１の後方側に延出するように構成されている。つまり、鉛直方向に沿う鉛直線Ｅに対する接触起立状態のルアー１００のワイヤ３の角度θ（図１参照）は、０度〜７０度とすることが好ましく、より好ましくは、１０度〜６０度である。１０度以上とすることで、ワイヤ３のワイヤ下端部３ａが水底に接触する状態で、ルアー１００が水中において前方から水流を受ける場合でも、安定したワイヤ３の支持を実現することができ、ルアー１００が水底から所定の距離だけ離間した水中の位置に維持することができる。また、ワイヤ３が、水底の障害物Ｓに接触した際に、後方側に湾曲する状態でワイヤ３が弾性変形して障害物Ｓを乗り越えることができ、また、障害物Ｓに引っ掛かることを回避することができるので、ルアー１００の根掛かりを防止することができる。
【００５７】
一方、６０度以下とすることで、本体前部側フックアイ６に接続された釣針１０と接触することを防止することができる。本実施形態では、角度θは４５度に設定されており、上記の両方の効果を同時に良好に得ることができる。
【００５８】
なお、本実施形態では、ルアー１００の接触起立状態において、魚形状の頭部とテール部２をつなぐ長手方向中心線Ｃが水平方向に沿う水平線と略一致するようなルアー１００の例を示すが、ルアー毎に接触起立状態における長手方向中心線Ｃの水平線に対する角度は様々である。具体的には、長手方向中心線Ｃの水平線に対する角度は、頭部がテール部２よりも上方に向く場合とテール部２が頭部よりも上方に向く場合があり、多くのルアーにおいて、夫々の場合において、長手方向中心線Ｃが水平線に対してなす角度は４５度以内となるように構成されている。
【００５９】
ワイヤ３の材質は、特に限定するものではないが、耐水性、耐食性を有する金属やプラスチックなどが挙げられる。具体的には、ステンレス製のピアノ線等を使用することができる。このようにワイヤ３の材質を金属製とすることで、ワイヤ３が水中で何らかの対象物に接触した際の感覚を鋭敏に感知することができる。
【００６０】
図２及び図３は、水中でのルアー１００の動作を説明する図である。図２は、水中でのルアー１００の動作をルアー正面から見た図であり、図３は、水中でのルアー１００の動作をルアー側面から見た図である。図２に示すように、ワイヤ３の先端部が水底に接地した状態で、ルアー本体部１がワイヤ３の弾性により揺動可能な範囲である揺動範囲Ｐにおいて自由に泳動することができる。よって、ルアー１００が水底に接触する状態で、ルアー１００が釣りの対象魚を引き寄せるような良好な泳動状態を維持することができる。
【００６１】
図３を参照して水中でのルアー１００の動作を説明する、ルアーフィッシングでは、釣人がルアー１００に接続される釣糸２０をリールで巻き取ることで、ルアー１００が水中において水の流れ方向Ｗに向かう方向に移動させる。多くの場合において、釣りの対象となる魚は石が多い場所や水草が多い水底付近に好んで生息する。そのため、図４に示すようにルアー１００を石や水草などの障害物Ｓが存在する水底付近を移動させることになる。
【００６２】
本実施形態では、ルアー１００に弾性線状部材としてのワイヤ３が設けられているので、図３に示すように、水底に存在する障害物Ｓとしての石や水草などがルアー本体部１に接触することなく、ルアー１００を水底付近において水の流れ方向Ｗに向かう方向に移動させることができる。その際、ルアー１００は、ワイヤ３の弾性により揺動可能な範囲において自由に泳動するので、根掛かりを防止することができつつ、良好な遊泳動作を維持する状態で、ルアー１００を水底付近において水の流れ方向Ｗに向かう方向に移動させることができる。
【００６３】
本実施形態に係るルアー１００では、ルアー本体部１の頭部にワイヤ３が設けられているので、捕獲対象魚はルアー１００の後方からルアー１００に噛みつくので、捕獲対象魚の歯で釣糸２０が切断されることを防止することができる。つまり、ルアー１００の前方から捕獲対象魚がルアー１００に噛みつく場合は、捕獲対象魚の歯によりルアー本体部１に接続された釣糸２０が切断されることがあるが、捕獲対象魚の歯で釣糸２０が切断されることを防止することができるので、ルアー１００に噛みついた捕獲対象魚を逃がさずに捕獲することができる。
【００６４】
従来のルアーにおいて、ルアー本体部に設けられている根掛かりを防止するための根掛かり防止部材は、基本的には釣針が障害物に刺さることを防止するために設けられたものであるので、本実施形態に係るルアー１００のように、比較的長いワイヤ３を用いて水底の障害物Ｓから一定の距離を置くことにより根掛かりを回避する試みがなされなかった。その回避された理由は、ルアーを使用した釣りでは、可能な限り自然の小魚等にルアーの形態や動作を近づけるため細い釣糸や小さな釣針を使用したり、リップを透明にして目立たなくすることなど不自然さをなくす、更に、より自然の小魚等に近づけるためにワームのようなソフトルアーを使用するのが常識であることからも明らかであるが、  具体的には、比較的長い弾性線状部材としてのワイヤ３のような部材を設けると、ルアーの揺動状態が悪くなる虞があると考えられていること、捕獲対象魚が警戒するため捕獲対象魚のルアー１００への食いつきが悪くなる虞があると考えられていること、また、捕獲対象魚が食いついた際の針掛りが悪くなる虞があると考えられていること等が挙げられる。
【００６５】
本実施形態に係るルアー１００では、上述した従来の常識にとられずに、比較的長い弾性線状部材としてのワイヤ３が設けられたものである。このようなワイヤ３を設けることにより以下の効果を示すものである。１つ目は、ルアー１００が水底から所定の距離だけ離間した所定の深さ位置に維持されることによる根掛かり防止効果と捕獲対象魚の集魚効果を得ることができる。つまり、水底から所定の距離に存在する水草等の障害物への根掛かりを回避することができるという根掛かり防止効果を得ることができる。また、水底から所定の距離だけ離間した深さ位置を泳層とする小魚を餌とする魚を捕獲対象魚とする場合に捕獲対象魚の集魚効果を得ることができる。
【００６６】
２つ目は、ワイヤ３の弾性力により、ルアー１００が所定の深さ位置において水流により弾性揺動を発生することによる集魚効果を得ることができる。つまり、ルアー本体部１に設けられたワイヤ３のワイヤ下端部３ａが水底に接触する状態において、水中の水流に応じて、ルアー１００がワイヤ３の弾性により揺動可能な範囲において自由に泳動することができる。よって、ルアー１００は、所定の深さ位置において、釣りの捕獲対象魚を引き寄せるような良好な泳動状態を実現することができる。
【００６７】
３つ目は、本実施形態に係るルアー１００のようなハードルアーが発する音を自然に発生する音に近い音にすることができるという効果を得ることができる。つまり、より自然の小動物が発生させる音に類似する小さな水中音を発生することができる。具体的には、水底に接するワイヤ３のワイヤ下端部３ａの接触音のみが発生する状態となるので、上述の如く、より自然の小動物が発生させる音に類似する小さな水中音を発生することができる。
【００６８】
上述した３つの効果を併せ持つルアーはこれまでになく、弾性線状部材としてのワイヤ３を設けることにより達成されるものである。
【００６９】
本実施形態に係るルアー１００の使用において、所定の距離だけ離間した深さ位置を泳層とする小魚を餌とする魚を捕獲対象魚とする場合に、その捕獲対象魚の集魚効果を得ることができる。例えば、ルアー本体部１を水底に接触させずに水底や障害物Ｓから数十センチだけ離間した深さ位置において、ルアー本体部１を最適な揺動をさせながら使用する場合では、その深さ位置に生息する魚を捕獲対象魚として集魚効果を得ることができる。また、ワイヤ３の長さを変更することで、ルアー１００が維持される深さ位置を変更することができきるので、ワイヤ３の長さに応じて実現される様々な深さ位置を泳層とする小魚を餌とする魚を捕獲対象魚としてルアー１００を使用することができる。
【００７０】
また、根掛かりには大きく２つの場合がある。一つは、ルアーを水底付近で移動させて使用する場合に、ルアー本体部１に接続された釣針１０が水底付近の石や水草などの障害物Ｓに刺さる又は引っ掛かる場合であり、もう一つは、同様に水底付近で移動させて使用する場合に、移動する方向にある石や流木などの障害物Ｓの隙間に挟まる場合である。従来のルアーにおいて設けられている根掛かり防止部材は主に前者の根掛かりを防止するものであるが、本実施形態に係るルアー１００では、弾性線状部材としてのワイヤ３を設けることにより、前者の根掛かりに加えて、後者の根掛かりも防止することができる。
【００７１】
また、従来の根掛かりを防止するための根掛かり防止部材を有するルアーでは、根掛かり防止機能を強化するために根掛かり防止部材のサイズを大きくすることが必要であったが、根掛かり防止部材を大きくするほど捕獲対象魚が警戒するため捕獲対象魚のルアー１００への食いつきが悪くなるという関係があった。しかしながら、本実施形態に係るルアー１００では、根掛かりを防止しつつ、捕獲対象魚の集魚効果を向上することができる。つまり、従来では不可能であった、根掛かり防止性能を向上しつつ、捕獲対象魚のルアー１００への食いつきも良好にすることを可能にするものである。
【００７２】
〔別実施形態〕  
以下に別実施形態を列挙する。
（１）上記実施形態では、リップ８にワイヤ３の中間部を支持する線状部材支持部としてのワイヤ支持部９が設けられたが、これに限らず、線状部材支持部をリップ８とは別体として設けてもよい。この場合、例えば、図４に示すように、線状部材支持部を、ルアー本体部１の長手方向Ｄにおいて、線状部材接続部７と釣針接続部としての本体前部側フックアイ６との間においてルアー本体部１に設けられたリング部材の孔１６で構成してもよい。
【００７３】
（２）上記実施形態では、ワイヤ３を一本の直線状の単線で構成したが、これに限らず、ワイヤ３を、曲線状の単線で構成してもよく、波線状又は螺旋状の単線で構成してもよい。また、ワイヤ３を、複数本の線状部材を互いに接触する状態又は隣接する状態に形成して単線状に構成してもよい。また、複数本の線状部材を撚って一本にした撚り線として形成してもよい。さらに、水底と接するワイヤ３のワイヤ下端部３ａの形状は、球体状又はニードル状に形成されていてもよい。
【００７４】
（３）上記実施形態では、ワイヤ３を一本の直線状の単線で構成したが、これに限らず、ワイヤ３は、ワイヤ３のルアー本体部１に接続される基端部を複数に分岐させ、複数に分岐した基端側がルアー本体部１に接続されていてもよい。基端部と反対側の先端部を複数に分岐させて形成してもよい。つまり、ワイヤ３は、少なくともワイヤ３の中間部が単線状となるように構成されていてもよい。なお、先端部を複数に分岐させて形成する場合、分岐した夫々の先端部がルアー１００の横幅方向において、ルアー１００を前から見て、ルアー本体部１の横幅に収まる様に形成する。
【００７５】
（４）上記実施形態では、釣糸接続部としてのラインアイ４と線状部材接続部７とを単一の環状部材５により構成したが、これに限らず、釣糸接続部としてのラインアイ４と線状部材接続部７とを単一のＵ字状部材により構成してもよい。この場合、そのＵ字状部材の２つの端部をルアー本体部１に接続する状態で使用してもよい。
【００７６】
（５）上記実施形態では、ルアー１００の接触起立状態において、弾性線状部材としてのワイヤ３が、鉛直下方よりもルアー本体部１の後方側に延出するように構成され、かつ、接触起立状態で、ワイヤ３のワイヤ下端部３ａが本体前部側フックアイ６に接続された釣針１０の下端部よりも下方に延出するように構成されたが、これに限らず、ルアー１００の魚形状の頭部とテール部２をつなぐ長手方向中心線Ｃが水平方向にあるときに、ワイヤ３の下端部であるワイヤ下端部３ａが本体前部側フックアイ６に接続された釣針１０の下端部よりも下方に延出する状態で設けられていてもよい。その場合、長手方向中心線Ｃとワイヤ３のなす角度は、３０度〜７０度とすることが好ましい。３０度以上とすることで、本体前部側フックアイ６に接続された釣針１０と接触することを防止することができ、７０度以下とすることで、ワイヤ３のワイヤ下端部３ａが水底に接触する状態で、ルアー１００が水中において前方から水流を受ける場合でも、安定したワイヤ３の支持を実現することができ、ルアー１００が水底から所定の距離だけ離間した水中の位置に維持することができる。
【００７７】
（６）上記実施形態では、リップ８はルアー１００の前方側から見て略円形に形成されたが、これに限らず、リップ８はルアー１００の前方側から見て楕円形や多角形で構成れていてもよい。
【００７８】
（７）上記実施形態では、弾性線状部材としてのワイヤ３の長さを１００ｃｍ以下としたが、これに限らず、ワイヤ３が、ルアー１００の長手方向Ｄの長さに対して１．５倍以下の長さで形成されていてもよい。
【００７９】
（８）上記実施形態では、ワイヤ３の材質としてステンレス製のピアノ線等を使用したが、これに限らず、ワイヤ３の材質として、耐食性のある合金や合成樹脂等を使用してもよい。例えば、ステンレスバネ線やステンレス硬線をワイヤ３の材質として使用してもよい。その他、ワイヤ３の材質に、透明な樹脂を使用してもよい。これにより、ワイヤ３の水中での隠蔽性を高めることもできる。具体的には、光ファイバーをワイヤ３の材質として使用することができる。
【００８０】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００８１】
以上説明したように、水底付近において根掛かりの発生を防止することができつつ、水底に接触する場合でも良好な泳動状態を実現することができるルアーを提供することができる。
【符号の説明】
【００８２】
１        ルアー本体部
１ａ      ルアー本体前部
１ｂ      ルアー本体後部
３        ワイヤ（弾性線状部材）
３ａ      ワイヤ下端部（先端部）
４        ラインアイ（釣糸接続部）
５        環状部材
６        本体前部側フックアイ（釣針接続部）
７        線状部材接続部
８        リップ
９        ワイヤ支持部（線状部材支持部）
１０      釣針
２０      釣糸
１００    ルアー
Ｄ        長手方向
【要約】
【課題】水底付近において根掛かりの発生を防止することができつつ、水底に接触する場合でも良好な泳動状態を実現することができるルアーを提供する。
【解決手段】釣針１０が接続されるルアー本体部１を備えたルアー１００であって、ルアー本体部１に、ルアー本体部１の下方に向かって、かつ、ルアー本体部１の長手方向Ｄに沿って延出する弾性線状部材３が設けられている。釣針１０が接続される釣針接続部６がルアー本体部１の下方に設けられ、弾性線状部材３は単線状に形成され、かつ、弾性線状部材３の下端部３ａが釣針接続部６に接続された釣針１０の下端部よりも下方に延出する状態で設けられている。
【選択図】図１【図１】
0006899058.tif 000002
【図２】
0006899058.tif 000003
【図３】
0006899058.tif 000004
【図４】
0006899058.tif 000005